(57)【特許請求の範囲】
【請求項１】
複数の図柄が描かれた可変表示可能な複数列のリールと、
前記リールが視認可能な表示窓と、
内部当選役と決定された遊技で入賞しなかった場合に次遊技以降に当選フラグを持ち越す複数種類のボーナス役、及び内部当選役と決定された遊技で入賞しなかった場合に次遊技以降に当選フラグを持ち越さない複数種類の小役、を含む複数種類の役から内部当選役を決定する内部当選役決定手段と、
前記複数列のリールを個別に停止させるための遊技者が操作可能な複数の停止手段と、
各前記役は、各々入賞となる図柄の組み合わせが予め定められており、前記停止手段の操作タイミング及び前記内部当選役に基づいて入賞ライン上に各列所定の図柄を停止させる停止制御手段と、
前記内部当選役決定手段によりボーナス役が内部当選役として決定されてから、ボーナス役の入賞が成立するまでの遊技回数を計数する計数手段と、
前記内部当選役決定手段により決定された内部当選役の報知を、前記複数列のリールを回転させるためのスタートレバーが操作された後であって前記複数列のリールの回転中に行う報知手段と、を備え、
前記報知手段は、液晶ディスプレイから成る画像表示装置であり、前記計数手段が第１の遊技回数を計数したことを条件に、前記内部当選役決定手段の決定結果のうち前記小役の決定結果及び持ち越されている前記ボーナス役の種類を含む全ての決定結果を報知し、
前記報知手段による内部当選役の報知は、前記複数列のリールに描かれた複数の図柄の画像のうち、前記内部当選役決定手段により決定された内部当選役が入賞となる図柄の組み合わせの画像を前記画像表示装置に表示させる報知であり、
各前記役が入賞となる図柄の組み合わせは、少なくとも１の前記リールにおける図柄と他の前記リールにおける図柄が異なる図柄の組み合わせを含むことを特徴とする遊技機。
【請求項２】
前記報知手段は、前記計数手段が前記第１の遊技回数よりも少ない第２の遊技回数を計数したことを条件に、前記内部当選役決定手段の決定結果のうち前記小役のみの決定結果を報知することを特徴とする請求項１記載の遊技機。
【発明の詳細な説明】
【０００１】
【発明の属する技術分野】
本発明は、遊技者の技術レベルやセンスが遊技結果に反映される技術介入性のある遊技機や攻略要素のある遊技機、並びにこのような技術介入性や攻略要素のある遊技機の模擬ゲームをコンピュータに実行させるための遊技プログラムを記録したコンピュータ読み取り可能な媒体に関する。
【０００２】
【従来の技術】
近年、パチスロ、パチンコ等の遊技機は、マイコン制御との組合わせにより多彩かつ奥深い遊技性を具備するに至り、攻略雑誌等により人気遊技機の仕様や攻略要素が紹介され、また、家庭用ゲームソフトとして模擬化され、自宅に居ながらにして疑似実戦が楽しめるようになっている。これらパチスロやパチンコは、内蔵するマイクロコンピュータの制御により勝ち負けは時の運という面はあるが、個々の遊技機の制御特性や癖の範囲内で一定の攻略要素があり、遊技者の技術レベルやセンスが遊技結果に反映し、上級者と初級者とでは出玉に大きな差がつくことがある。
【０００３】
パチスロを例にいうと、コインの払出しを受けるためには、スタートレバーを叩いた瞬間に抽出される乱数がある入賞役の範囲に内部当選すること、その内部当選した入賞役に対応した図柄を４コマの引込み範囲内で入賞ラインに並ぶように所定のタイミングでストップボタンを押すことの二条件が必要になる。このため、遊技者がより多くのコインを獲得するには、図柄配列の理解を含めたストップボタンの操作技術の向上と、内部当選の的確な内容の把握が重要になる。
【０００４】
更に具体的にいうと、ビッグボーナスやレギュラーボーナスの場合、ボーナスに内部当選したフラグ成立ゲームでボーナス図柄を揃えられなくとも、ボーナスフラグは次ゲーム以降に持ち越され、ボーナス図柄が実際に揃うまで何回もチャンスは与えられるが、１リール中に含まれるボーナス図柄が本来的に少ないこと、リーチ目と呼ばれる独特のリールの停止出目やランプ等によるフラグ報知態様からボーナスフラグの成立を的確に把握することが万人に容易とは限らないことから、初級者はフラグ成立ゲームからボーナス図柄を実際に揃えるまでに数多くのゲームを無駄に費やすことになる。
【０００５】
また、ボーナスに内部当選する以前の最も頻繁に行われる一般遊技では、成立する入賞役は小役かリプレイであるが、ボーナスのフラグと異なり内部当選結果を次ゲーム以降に持ち越せないため、１００％の引込みが保証された入賞役以外で取りこぼしが生じる。この場合、リールの図柄配列等から特定の図柄を狙い打ちし、取りこぼしを一掃できる所謂ＤＤＴ打法と呼ばれる攻略法や、これに小役の当選確率と目押しに要する時間効率を加味した効率的な打法等が存在するが、初級者は先ずこのような攻略打法の認識に乏しく、また、仮に知っていても回転しているリールの図柄を的確に読み取って適正タイミングでストップボタンを押す所謂目押し力に劣るため、小役の取りこぼしが少なからず起こる。
【０００６】
さらに、ビッグボーナスゲーム中は、リプレイ図柄の三つ揃いで始まるレギュラーボーナスを最大許された２回又は３回の規定回数だけ早期に消化してしまうよりも、３０回等の制限回数内のビッグボーナスゲーム中の通常ゲームの途中で、リプレイ図柄の三つ揃いを敢えて外してレギュラーボーナスへの突入を回避し、当選確率が通常よりも高められた小役を適当に取る、所謂リプレイハズシと呼ばれる攻略法を駆使しながら規定のボーナスゲームを消化するのが得であるが、目押し力に劣る初級者には難しく、上級者と比べてコインの獲得枚数は減ってしまう。
【０００７】
さらにまた、ビッグボーナスゲームの終了後に乱数抽選に基づくリールの停止制御を中止するチャレンジタイム（ＣＴ）搭載機では、ＣＴ中は本来目押しにより小役入賞を任意に勝ち取り、規定の純増獲得枚数近辺にコインを維持しながらボーナス抽選の機会を長期に保つ所謂ＣＴマックス打法と呼ばれる攻略法があるが、目押し力に欠ける初級者はＣＴ中は４コマの引込みアシストを利用できないことから逆にコインを減らす結果になり、目押し力が上級者ほどでない中級者はＣＴ中の規定ゲーム数を消化する前に規定の純増獲得枚数を超過してしまい、コイン持ちが良い有利な状況下での再度のボーナス突入の機会を早々に失ってしまう結果になる。
【０００８】
【発明が解決しようとする課題】
結局、以上のような攻略法等を駆使して有利に遊技を進めるためには、リールの図柄配列の理解を含めた目押し力の向上、遊技状況ごとの内部当選結果の的確な把握、これらを前提にしたその時々の最適な操作手順の習得が重要となるが、実際にそこまで遊技機の知識や操作技量を万人に求めることは困難であり、初級者には十分な満足が与えられないばかりか、遊技者層が狭められ、多彩な遊技性に相反して遊技を敬遠する世代も少なからず存在するというのが実情である。
【０００９】
ここで、遊技機に遊技者の技術力をサポートする機能を付加することについて検討する。サポート機能には、例えば、狙いの図柄を入賞ライン上に停止可能な操作タイミングを、ランプや液晶画面等の表示手段、スピーカ等の音発生手段、バイブレータ等の振動発生手段などで報知するもの、ボーナスのフラグ成立時等の所定条件を満たすとリールの回転を減速させて図柄を認識し易くするもの、リール配列を表示してどのリールのどの位置にどの図柄があるかを明示させるもの、液晶画面等にメインリールと同期した疑似リールを表示させて狙いたい図柄にマークを付けたり強調表示させたりして図柄を認識し易くするもの、その時々の遊技状況に応じて最も有利な攻略法を教示するもの、成立フラグを表示して今回のゲームでどの入賞役を揃えるべきかを示唆するもの、入賞役の取りこぼしグラフ等により遊技の評価が行えるもの等が考えられる。
【００１０】
しかし、これらのサポート機能を単に遊技機に付加しても、初級者・上級者の区別なく一律にそのサポートが働くものとなるから、ある遊技者にとって不要な機能がその者の意思と無関係に作動したり、逆に別の遊技者にとって必要な機能が必要なときに作動しない問題が起こる。
【００１１】
すなわち、どの技術レベルの遊技者に合わせたサポート機能かによって変わるが、全くの初心者用の手厚いサポート機能であるならば、一律に遊技が簡単になるだけであり、技術の研鑽を重ねてきた上級者にとって不要であるばかりか却って面白くなく、真の意味での平等化は図れない。一方、上級者用のサポート機能を一律に付与しても、初級者には意味すらも分からず、却って徒に遊技を複雑にするだけであり、サポート機能たり得ない。
【００１２】
本発明では、基本的に初級者を援助することに重点を置きながら上級者に不平等ともならないサポートを実践せんとするものであって、単にサポート機能を一律に作動させるのではなく、現時点から遡る遊技の近況履歴をみてサポート機能を作動させることにより、一律にサポート機能を作動させる場合のような初級者と上級者の悪平等化やサポート機能の有名無実化といった弊害がなく、適正状況下で適切にサポートを付与できる優れたナビゲーション機能を有する遊技機を提供することを課題とする。
【００１３】
【課題を解決するための手段】
請求項１記載の発明は、上記課題を解決するため、遊技機であって、複数の図柄が描かれた可変表示可能な複数列のリールと、前記リールが視認可能な表示窓と、内部当選役と決定された遊技で入賞しなかった場合に次遊技以降に当選フラグを持ち越す複数種類のボーナス役、及び内部当選役と決定された遊技で入賞しなかった場合に次遊技以降に当選フラグを持ち越さない複数種類の小役、を含む複数種類の役から内部当選役を決定する内部当選役決定手段と、前記複数列のリールを個別に停止させるための遊技者が操作可能な複数の停止手段と、各前記役は、各々入賞となる図柄の組み合わせが予め定められており、前記停止手段の操作タイミング及び前記内部当選役に基づいて入賞ライン上に各列所定の図柄を停止させる停止制御手段と、前記内部当選役決定手段によりボーナス役が内部当選役として決定されてから、ボーナス役の入賞が成立するまでの遊技回数を計数する計数手段と、前記内部当選役決定手段により決定された内部当選役の報知を、前記複数列のリールを回転させるためのスタートレバーが操作された後であって前記複数列のリールの回転中に行う報知手段と、を備え、前記報知手段は、液晶ディスプレイから成る画像表示装置であり、前記計数手段が第１の遊技回数を計数したことを条件に、前記内部当選役決定手段の決定結果のうち前記小役の決定結果及び持ち越されている前記ボーナス役の種類を含む全ての決定結果を報知し、前記報知手段による内部当選役の報知は、前記複数列のリールに描かれた複数の図柄の画像のうち、前記内部当選役決定手段により決定された内部当選役が入賞となる図柄の組み合わせの画像を前記画像表示装置に表示させる報知であり、各前記役が入賞となる図柄の組み合わせは、少なくとも１の前記リールにおける図柄と他の前記リールにおける図柄が異なる図柄の組み合わせを含むことを特徴とする。
【００１４】
請求項２記載の発明は、請求項１記載の遊技機であって、前記報知手段は、前記計数手段が前記第１の遊技回数よりも少ない第２の遊技回数を計数したことを条件に、前記内部当選役決定手段の決定結果のうち前記小役のみの決定結果を報知することを特徴とする。
【００１５】
【００１６】
【００１７】
【００１８】
【００１９】
【００２０】
【発明の作用効果】
本発明では、ボーナスに内部当選したフラグ成立ゲームの後所定のゲーム数を経てもボーナス図柄が入賞ライン上に揃わずにボーナス入賞に至らないときにサポート手段の作動が許可される。このため、ボーナス入賞をなかなか勝ち取ることができずに無駄にゲーム数を費やす初級者を救済できる。このため、一律にサポート機能を付与する場合のように初級者と上級者との悪平等化やサポート機能の有名無実化といった弊害がなく、適正な状況下で適切にサポートを付与し得る。
【００２１】
【００２２】
【００２３】
【００２４】
【００２５】
【００２６】
【００２７】
【発明の実施の形態】
図１は、本発明を適用したパチスロ機すなわちパチンコ型スロットマシンである。コインには、直径２５ｍｍ前後の遊技メダルが使用される。遊技機本体１は、箱形の筐体１１及び前方に開くフロント扉１２を有する。上から、遊技状態表示器１Ａ、配当部パネル１Ｂ、リール部パネル１Ｃ、スイッチ類設置部１Ｄ、腰部パネル１Ｅ、前面スピーカパネル１Ｆ、コイン受皿１Ｇを備える。スイッチ類設置部１Ｄには、複数のコインを同時に受入れるコイン一括投入口２、液晶ディスプレイから成る画像表示装置３を設けている。尚、コイン一括投入口２に代え、一枚づつコインを受入れる現行標準のコイン投入口を用いてもよい。
【００２８】
図２に示すように、リール部パネル１Ｃの奥には、外周に「赤７」や「チェリー」等の図柄を描いた左中右３列のリール４Ｌ，４Ｃ，４Ｒから成る可変表示手段４を内装している。停止状態では各表示窓４０Ｌ，４０Ｃ，４０Ｒの窓越しに、上中下３個の図柄がはっきりと見える。
【００２９】
１ゲームの賭けコイン数はベットスイッチ５で決定する。１回の押圧で３枚、２回の押圧で２枚、３回以上の押圧で１枚と順次賭け枚数を減らし、最も頻度の高い３枚賭け遊技を１回の押圧で行う。もっとも、逆に押圧回数に賭け枚数を比例させてもよいし、１〜３枚の賭け数に対応させて個別のベットスイッチを設けてもよい。賭け枚数に応じ、１枚なら中央のラインＬ１が１本、２枚なら上下のラインＬ２，Ｌ２を加えた３本、３枚なら斜めのラインＬ３，Ｌ３をも加えた５本が有効になる。有効化された入賞ラインに対応して横の表示ランプＥ１〜Ｅ３が点灯する。尚、レギュラー又はビッグボーナスゲーム中のジャックゲームでは、ベットスイッチ５の押圧回数に拘らず常に１枚賭けが選択される。
【００３０】
１ゲームの起動は、コイン賭け状態において首振り自在なスタートレバー６を叩く。すると、３列のリール４Ｌ，４Ｃ，４Ｒが一斉に回転する。左中右の３個のストップボタン７Ｌ，７Ｃ，７Ｒから成る停止手段７の操作によりリール４Ｌ，４Ｃ，４Ｒは個別に停止し、有効ライン上に並ぶ図柄の組合わせにより入賞の有無、賞の大小によるコイン払出枚数が決定される。
【００３１】
画像表示装置３には、各リール４Ｌ，４Ｃ，４Ｒと同じ図柄を表示しながら同期して回転及び停止する疑似リール３Ｌ，３Ｃ，３Ｒを表示している。画像表示装置３の前方には、後述する目押しマーカーの設定等を行う操作スイッチ８を設けている。このスイッチ８は、画像表示装置３上のカーソル８０を上下左右に移動させる上ボタン８１、下ボタン８２、左ボタン８３、右ボタン８４を有すると共に、決定ボタン８５及び取消ボタン８６を有する。
【００３２】
図２中、１３は、所定数５０枚を上限としてコインを後のゲーム分まで予め記憶させておくクレジット状態と、そのクレジット分のコインを受皿１Ｇに払い出す清算状態とを切替える清算スイッチである。
【００３３】
図３に示すように、各リール４Ｌ，４Ｃ，４Ｒには、コードナンバー１〜２１で区分する２１個の図柄をもつ。図柄は、３種類のボーナス図柄「赤７」、「鳥」、「ＢＡＲ」、３種類の小役図柄「ぶどう」、「羽」、「チェリー」、一つの「リプレイ」図柄の全７種ある。各メインリール４Ｌ，４Ｃ，４Ｒの帯の上端と下端は相互に結ばれ、輪状となる。回転方向は矢印の向きの通りである。
【００３４】
図４に示すように、入賞役には、ビッグボーナス、レギュラーボーナス、小役、リプレイ、ジャックゲーム入賞役がある。左リール４Ｌ一本で入賞が確定する「チェリー」は、３枚賭け時に上段又は下段に止まると４枚の払出となる。このパチスロは所謂Ａタイプと呼ばれる機種に属し、ビッグボーナスでは、とりわけメイン小役「羽」−「羽」−「羽」の入賞確率等がビッグボーナス以外の一般遊技時よりも高められた３０回の通常ゲームの間に、リプレイ図柄の三つ揃いで始まる、１セット１２回のジャックゲームにより１５枚の払出しを最大８回まで受け得るというレギュラーボーナスを３セット行え、３６０枚前後のコインを獲得できる。もっとも、ビッグボーナス中のレギュラーボーナスを２セットとしたＢタイプや、このＢタイプにＣＴ遊技を付加したＢ−ＣＴタイプ、シングルボーナスの集中役を搭載したＣタイプなど他のタイプの機種であっても勿論よい。
【００３５】
図５は、遊技の全体を制御する制御装置のブロック図である。マイクロコンピュータＣＰＵ、読出し専用メモリＲＯＭ、ランダムアクセスメモリＲＡＭで構築するメイン制御部９を有する。９１はクロックパルス発生回路、９２は分周器、９３は乱数発生器、９４は乱数サンプリング回路である。スタートレバー６を叩いた瞬間に抽出する乱数値とＲＯＭに記憶された入賞テーブルＴＢＶとの比較判定に基づいて内部当選の有無及び入賞役を決定する。ビッグボーナス又はレギュラーボーナスの内部当選結果であるボーナスフラグは次ゲーム以降にも持ち越し可能であるが、小役及びリプレイの内部当選結果は当該ゲーム限りである。
【００３６】
入力側には、コイン一括投入口２から投入するコインを検出する投入コイン検出器２０、ベットスイッチ５、スタートレバー６、画像表示装置３の操作スイッチ８、清算スイッチ１３、ストップボタン７Ｌ，７Ｃ，７Ｒを入力とする停止信号回路９５、リール４Ｌ，４Ｃ，４Ｒの位置検出回路９６、内蔵するコイン払出ホッパーの払出信号回路９７を接続している。
【００３７】
出力側には、リール４Ｌ，４Ｃ，４Ｒに直結する各ステッピングモータＳＬ，ＳＣ，ＳＲの駆動回路９８、画像表示装置３の駆動回路９９、コイン払出ホッパーの駆動回路１００、遊技状態表示器１Ａやメインリール４Ｌ，４Ｃ，４Ｒ背後のバックランプ等を駆動する表示器駆動回路１０１、スピーカと結ぶ効果音出力回路１０２を接続している。
【００３８】
スタートレバー６が叩かれ、各リール４Ｌ，４Ｃ，４Ｒが定速回転に達した後、各ストップボタン７Ｌ，７Ｃ，７Ｒの操作が許され、該ストップボタン７Ｌ，７Ｃ，７Ｒを各押すと、停止信号回路９５及び位置検出回路９６の入力並びにＲＯＭ上の停止制御テーブルＴＢＣに基づき、最短停止図柄から４コマ先までの計７コマ分の図柄をチェックし、内部当選した入賞役に該当する図柄がある場合は該図柄が有効な入賞ライン上に並ぶように引込み制御すると共に、内部当選していない他の入賞役が成立しないように蹴飛ばし制御し、各リール４Ｌ，４Ｃ，４Ｒを停止させる。
【００３９】
内部当選の無い外れの場合は、如何なる入賞役も成立しないように各リール４Ｌ，４Ｃ，４Ｒを停止させる。ボーナスフラグが持ち越されたボーナス内部当選中のゲームでも、ボーナス以外の抽選はなされ、小役又はリプリイに内部当選した場合は、該小役又はリプレイの内部当選結果を優先して引込み及び蹴飛ばし制御し、各リール４Ｌ，４Ｃ，４Ｒを停止させる。
【００４０】
ビッグボーナスの内部当選確率は、例えば１／２４０（設定６）〜１／２９７（設定１）、レギュラーボーナスのそれは１／３６４〜１／４６８程度、ビッグ及びレギュラーのボーナス合成確率は１／２４０＋１／３６４＝約１／１４５（設定６）〜１／２９７＋１／４６８＝約１／１８２（設定１）と低いが、一度内部当選すると、フラグ成立ゲームでボーナス入賞を勝ち取ることができなくとも、チャンスは消失しない。しかし、１リール中に含まれるボーナス図柄が少ないことから、目押し力に欠ける初級者には、４コマの引込みアシストによってもボーナス図柄を揃えることは容易ではない。
【００４１】
そこで、メイン制御部９において、ボーナスフラグ成立後の入賞不成立ゲーム数の累計を近況履歴として監視し、ボーナスに内部当選したフラグ成立ゲームの後所定のゲーム数を経てもボーナス図柄が入賞ライン上に揃わずにボーナス入賞に至らないとき、ボーナス図柄を入賞ライン上に揃えるのに役立つサポート手段を作動させる。
【００４２】
ボーナス内部当選中におけるサポート手段の第１実施形態は、各リール４Ｌ，４Ｃ，４Ｒの回転数を調整するものである。すなわち、駆動回路９８を介して各ステッピングモータＳＬ，ＳＣ，ＳＲを速度制御し、リール回転数を通常時の高速の８０回転／分から、ボーナスフラグ成立後１５ゲーム以上２５ゲーム以下では中速の７０回転／分に、さらにボーナスフラグ成立後２６ゲーム以上では低速の６０回転／分に段階的に落とす。
【００４３】
これにより、回転している各リール４Ｌ，４Ｃ，４Ｒの図柄が見易くなり、目押しが補助される。フラグ成立後に費やすゲーム数が多いほど回転数が落ちるため、効果的に初級者を救済できる。勿論、早期にボーナス入賞を勝ち取るほどコインの目減りは少ないため、上級者に不平等ともならない。ボーナス入賞を勝ち取るとリール回転数は高速に戻る。尚、減速に切換えるゲーム数、減速回転数及び減速段数は種々変更可能である。
【００４４】
ところで、各リール４Ｌ，４Ｃ，４Ｒの回転数を落とすのに伴い、同時に引込みコマ数を変更してもよい。すなわち、例えば、通常時の高速の８０回転／分のときは現行の４コマから５コマに拡大しておき、中速の７０回転／分のときは４コマ、低速の６０回転／分のときは３コマにする。回転数を落としていくほど引込みコマ数も減少するため、低速で図柄自体が見易くなり、目押しが容易になっても、引込みアシストの幅が狭められるため、初級者と上級者間の平等化が一層厳格に保たれる。又、リール回転数を段階的に落としていくのに代え、リール回転数は一定で引込みコマ数のみを拡大していってもよい。この場合も、ボーナス図柄が揃え易くなるため、初級者用のサポート機能たり得る。
【００４５】
図６に示すように、ボーナス内部当選中におけるサポート手段の第２実施形態は、疑似リール３Ｌ，３Ｃ，３Ｒの任意の図柄に目押しマーカー３０を設定することを許可するものである。ボーナスフラグ成立後１５ゲーム以上２５ゲーム以下で画像表示装置３上に目押しマーカー設定許可と表示させる。上下左右のボタン８１，８２，８３，８４でカーソル８０を左中右３列と上中下３段の範囲内で動かす。カーソル８０が上段又は下段にあって更に上ボタン８１又は下ボタン８２を押すと、該当列の疑似リールが下又は上にスクロールし、隠れた図柄が現われる。カーソル８０位置で決定ボタン８５を押すと図柄右横にマーカー３０が付される。その図柄に付されたマーカー３０は図柄と共に移動する。
【００４６】
マーカー３０は各列一個づつでもよいが、赤、青、緑の色変わりを各列３個以内で付せるようにしている。各列で最初に設定するマーカーは赤３１、次は青３２、その次は緑３３と順次色が変わる。取消ボタン８６を押すとマーカー３０は全てキャンセルされる。２５ゲームを越えると実遊技の稼働率が低下することから再設定不可としたが、このような制限は付けなくてもよい。何れにしても最後に付したマーカー３０はボーナス入賞を勝ち取るまで残る。
【００４７】
スタートレバー６を叩くと、疑似リール３Ｌ，３Ｃ，３Ｒの表示図柄はリール４Ｌ，４Ｃ，４Ｒと同じになり、同期が担保される。こうして、疑似リール３Ｌ，３Ｃ，３Ｒに付されたマーカー３０を頼りに目押しが補助され、初級者の救済となる。又、マーカーを付すまでもなく早期にボーナス入賞を勝ち取る上級者に特段不平等ともならない。もっとも、初級者でも必ずしもマーカーを利用しなくてもよく、マーカー設定許可の下、利用するかしないかは遊技者の自由である。尚、マーカー３０を設定許可するゲーム数条件等は種々変更可能である。
【００４８】
ところで、マーカー３０は遊技者が任意に選ぶ図柄に設定可能としたが、一律に、例えば、各列におけるボーナス図柄のうち少なくとも一つの「赤７」に自動的に付けたり、これに加えて２つ目の「赤７」や「ＢＡＲ」等に色変わりのものを自動的に付けてもよい。また、マーカー３０は疑似リール３Ｌ，３Ｃ，３Ｒに付ける他、メインのリール４Ｌ，４Ｃ，４Ｒに別途マーカー用ランプ類を付帯させてこれを点灯させたり、リール背後のバックランプを利用して「赤７」等が表示窓４０Ｌ，４０Ｃ，４０Ｒを通過する瞬間に点灯させてもよい。
【００４９】
更に、視覚的なマーカーに限らず、ボーナス図柄の少なくとも一つの「赤７」が表示窓４０Ｌ，４０Ｃ，４０Ｒを通過する瞬間に、メトロノームのような音を発したり、ストップボタン７Ｌ，７Ｃ，７Ｒやスタートレバー６やフロント扉１２の一部分に振動を与えてもよい。一つの「赤７」について一回転に一回の割合で出音又は振動付与する場合、リール回転数を８０回転／分とすると、リズム間隔は０．７５秒となる。２回転に１回の割合で出音等する場合は１．５秒、４回転に１回の割合で出音等する場合は３秒がそれぞれリズム間隔となる。
【００５０】
図７に示すように、ボーナス内部当選中におけるサポート手段の第３実施形態は、疑似リール３Ｌ，３Ｃ，３Ｒの左横に、全２１図柄の配列を明示したリール帯３４Ｌ，３４Ｃ，３４Ｒを表示するものである。ボーナスフラグ成立後１０ゲーム以上３０ゲーム以下で各リール帯３４Ｌ，３４Ｃ，３４Ｒを静的に表示する。更に、ボーナスフラグ成立後３１ゲーム以上で、表示窓４０Ｌ，４０Ｃ，４０Ｒを通過する３コマの表示窓図柄３５Ｌ，３５Ｃ，３５Ｒを、リール４Ｌ，４Ｃ，４Ｒの動きと同期させて静止画のリール帯３４Ｌ，３４Ｃ，３４Ｒ中において下から上にスクロールさせる。スクロールさせる３コマの表示窓図柄３５Ｌ，３５Ｃ，３５Ｒは図柄自体や図柄近傍の背景部分の明るさを他と違えて目立つようにしたり、或は、枠囲みやライン等により他と区別するものである。
【００５１】
こうして、先ず、静的なリール帯３４Ｌ，３４Ｃ，３４Ｒの表示によりどのような図柄配列になっているか明確にされるため、目押しが幾分楽になり、更に、これでもボーナス入賞が得られない場合には、静的なリール帯３４Ｌ，３４Ｃ，３４Ｒの中に３コマの表示窓図柄３５Ｌ，３５Ｃ，３５Ｒがリール４Ｌ，４Ｃ，４Ｒと同期して移動するため、この部分を頼りに目押し操作が行える。このため、順次段階的に手厚いサポートがなされ、効果的に初級者を救済できる。又、早期にボーナス入賞を勝ち取る上級者に特段不平等ともならない。尚、リール帯の表示等をするゲーム数条件は種々変更可能である。
【００５２】
図８に示すように、ボーナス内部当選中におけるサポート手段の第４実施形態は、成立フラグすなわち内部当選結果を報知するものである。そもそも、ボーナス内部当選中か否かは、リール４Ｌ，４Ｃ，４Ｒの停止出目がリーチ目かどうかを把握したり、リール背後のバックランプ等による演出報知態様から予測を立てる必要がある場合が多く、初級者には困難な面がある。ビッグボーナスかレギュラーボーナスかの区別も同様に困難で赤７を揃えるべきかＢＡＲを揃えるべきか不明な面がある。そこで、ボーナスフラグ成立後５ゲーム以上１５ゲーム以下で小役の内部当選結果を報知する。更に、ボーナスフラグ成立後１６ゲーム以上でボーナスを含めて全ての入賞役の内部当選結果を報知する。報知は、スタートレバー６を叩いた後、図柄表示装置３上に、内部当選図柄３６を表示することにより行う。
【００５３】
ボーナスの内部当選から５ゲームを経過すると、先ず、小役の内部当選結果が報知される。当該ゲームでは、優先的に引込まれる小役狙いの停止操作が行え、小役の取りこぼしが減少される。また、これに止まらず、このような報知が始まったことによりボーナスの内部当選を察知でき、次ゲームで小役の内部当選の報知がない場合、当該ゲームでは「赤７」或は「ＢＡＲ」狙いにほぼ集中できる。更に、１６ゲーム以上になると、全入賞役の内部当選結果が報知され、ビッグかレギュラーかの区別もでき、例えばビッグなら「赤７」狙いにほぼ集中できる。
【００５４】
こうして、順次狙いをつける図柄を絞り込むことができ、やみくもに停止操作する無駄を抑制でき、初級者を効果的にサポートできる。又、リーチ目等により一早くボーナスの内部当選を察知して早期にボーナス入賞を勝ち取る上級者に特段不平等ともならない。ボーナス入賞を勝ち取ると内部当選結果の報知は終了する。尚、報知を開始するゲーム数や報知内容を変えるゲーム数は種々変更可能である。又、最初の小役の内部当選結果の報知あるいは後の全入賞役の報知にリプレイを含めても含めなくてもよい。更に、後の全入賞役の報知時にビッグかレギュラーかの区別は報知しないものとしてもよい。
【００５５】
図９に示すように、ボーナス入賞時すなわちボーナス図柄が入賞ライン上に揃ってボーナス入賞に至ったときのサポート手段の実施形態は、遊技の評価に役立つ遊技履歴の表示を許可するものである。具体的には、ボーナスの入賞成立と同時に、前回のボーナスゲーム終了からの遊技履歴すなわちボーナス間遊技履歴を画像表示装置３上に自動的に表示する。
【００５６】
表示項目は、ボーナス入賞までの総遊技回数、その間に投入したコインの総投入枚数と払い出された総払出枚数、両者の差である純増枚数、小役獲得グラフ等である。尚、遊技開始時から最初のボーナス入賞まで同一遊技者による履歴を正しく表示させるため、遊技開始時に操作する初期リセットスイッチを設けておくのが好ましい。例えば、専用ボタンスイッチや画像表示装置３上のカーソル選択項目等として設けておく。又、遊技履歴を一画面で表示する他、画面切替えにより複数画面で遊技履歴を表示してもよい。
【００５７】
ボーナス入賞後、最初のゲームが起動されと、画像表示装置３は再び疑似リールの画面に戻る。ビッグボーナスの場合は、単独のレギュラーボーナスと異なり、１枚賭けのジャックゲームから始まるのではなく、３枚賭け標準の小役も取れる通常ゲームから始まる。このビッグボーナス中の通常ゲームでは、「リプレイ」図柄の三つ揃いによりレギュラーボーナスに突入し、ジャックゲームが始まる。その突入の内部確率は例えば１／４．２６７と高い。同時に、メイン小役である「羽」の三つ揃いは一般遊技時の１／１１．３９４から１／２．２１５に目立って高くなり、「羽」−「羽」−「鳥」役も一般遊技時の最高値１／１９．２７５から１／４．０９１に高くなる。配当も大きくなる。３セットのレギュラーボーナスか３０回の通常ゲームの完了でビッグボーナスは終了する。
【００５８】
ビッグボーナス中は、画像表示装置３上に、最初から図７と同じく疑似リール３Ｌ，３Ｃ，３Ｒにリール帯３４Ｌ，３４Ｃ，３４Ｒ及び表示窓図柄３５Ｌ，３５Ｃ，３５Ｒを付帯表示させる。そして、１セット目のレギュラーボーナス終了後の通常ゲームにおいて、レギュラーボーナスの再突入を許す「リプレイ」当選がある場合その内部当選図柄３６（図８参照）を画面上に重ねて表示させ、２セット目のレギュラーボーナス終了後の通常ゲームにおいて、「リプレイ」及び全小役を対象とした内部当選図柄３６を画面上に重ねて表示させる。このサポートは、初級者・上級者を区別しない一律的なものである。
【００５９】
さらに、この一律的サポートに加えて、あるいは、この一律的サポートに代えて、ビッグボーナス途中の付与利益が少ないとき、獲得利益の増加に役立つサポート手段を作動許可するようにしている。このサポート手段の第１実施形態は、ボーナス内部当選中におけるサポート手段の第１実施形態と同様、各リール４Ｌ，４Ｃ，４Ｒの回転数を落とすものである。具体的には、２セット目のレギュラーボーナス終了時点での純増枚数が２２１枚以上の場合は通常時の高速の８０回転／分、同純増枚数が１９１枚以上２２０枚以下の場合中速の７０回転／分、同純増枚数が１９０枚以下の場合は低速の６０回転／分にする。
【００６０】
ビッグボーナスが開始され、１回目の３枚賭け通常ゲームで「リプレイ」の三つ揃いが成立した後、１枚賭けジャックゲームにおいて８回連続で１５枚払出しを受けて１セット目のレギュラーボーナスを終え、続いて２回目の３枚賭け通常ゲームで「リプレイ」の三つ揃いが成立した後、同じく１枚賭けジャックゲームにおいて８回連続で１５枚払出しを受けて２セット目のレギュラーボーナスを終えた最速攻の場合、払出枚数は１５×８×２＝２４０枚、投入枚数は（３＋１×８）×２＝２２枚、純増枚数は２４０−２２＝２１８枚となる。
【００６１】
純増枚数２２１枚以上ということは、途中の通常ゲームで効果的に小役をも取ったということである。純増枚数１９０枚以下ということは、途中の通常ゲームで外れが多いか、ジャックゲームを規定回数消化できなかったか何らかの敗因があるということである。その中間の１９１枚以上２２０枚以下は、少なくとも２２１枚以上の場合に比べて小役を効果的に取っていないということである。
【００６２】
ここで、ビッグボーナス中の通常ゲームでレギュラーボーナスに突入する「リプレイ」の内部当選があっても、リプレイハズシにより敢えて「リプレイ」の三つ揃いが外れるように目押し操作し、次のゲームでメイン小役の「羽」の三つ揃いを勝ち取ると、この間の投入枚数は３枚×２ゲーム＝６枚、払出枚数は１２枚で純増６枚が加算されることになる。
【００６３】
２セット目のレギュラーボーナス終了時点での純増枚数が少ない場合、リール回転数が高速から中速に或は高速から低速に落とされるため、リプレイハズシや小役入賞のための目押しが簡単になり、残りゲームにおいて獲得枚数の増加が容易となる。尚、リール回転数を落とす時期及び純増枚数条件等は種々変更可能である。
【００６４】
図１０に示すように、ビッグボーナス中の通常ゲームにおけるサポート手段の第２実施形態は、ビッグボーナス中における有利な操作手順となるリプレイハズシの手順を公開するものである。最初のレギュラーボーナス突入前にビッグボーナス中の通常ゲームが１０回以上で純増枚数が０枚以下のとき、１１ゲーム目が起動されると、画像表示装置３上に、リプレイハズシ手順と表示すると共に、（１）逆押し（ストップボタンを右、中、左の順で押すこと）に変え、右リールに「鳥」「羽」「鳥」のかたまりを狙うと表示する（図１０（Ａ））。
【００６５】
右ストップボタン７Ｒの操作による右リール４Ｒの停止後、（２）中リールはおやじ打ちすると表示する（図１０（Ｂ））。「リプレイ」も「羽」も図柄配列上、ほぼ１００％の引込みが保証されているからである。尚、おやじ打ちとは、ストップボタンを無作為のタイミングで押す、目押しと対極をなす打ち方をいう。中ストップボタン７Ｃの操作による中リール４Ｃの停止後、（３）左リールはテンパイ状況で打ち方を変えると表示し、テンパイパターンと狙う図柄を示す（図１０（Ｃ））。本例示のものは、上段受けでリプレイを外す場合、コマ数の余裕が大きく、ハズシが難なく行える。
【００６６】
本来的に「リプレイ」の内部当選があったが、リプレイハズシにより「リプレイ」の三つ揃いが不成立となった場合、リプレイハズシ成功と表示される（図１０（Ｄ））。また、リプレイハズシの手順を実施することで、本来的に「リプレイ」には内部当選しておらず、「羽」−「羽」−「羽」か、「羽」−「羽」−「鳥」の小役の内部当選がある場合、その内部当選にかかる小役が自動的に成立する（図１０（Ｅ））。
【００６７】
ところで、このようなリプレイハズシの手順を公開する条件は、最初のレギュラー突入前の通常ゲームが１０回以上で純増枚数０枚以下としているが、これはリプレイハズシをある程度実行できているが、手順が悪くコインがいっこうに増えず、リプレイハズシを実行しないときよりも獲得枚数が大きく下回ると予測されるケースを想定しており、誤解を解いて正しい手順を教示することにより、本来享受すべき利益の損失を抑制せんとするものである。尚、手順を公開する条件は種々変更可能である。又、ストップボタンの停止に連動した会話形式のナビにより手順を公開したが、一括で手順説明を公開してもよい。
【００６８】
ビッグボーナス中の通常ゲームにおけるサポート手段の第３実施形態は、ボーナス内部当選中におけるサポート手段の第２実施形態すなわち図６と同様、疑似リール３Ｌ，３Ｃ，３Ｒの任意の図柄に目押しマーカー３０を設定許可するものである。例えば、ビッグボーナス中の残り通常ゲームが１０回を切ったにも拘らず、レギュラーボーナスを一回も消化していない場合、１１ゲーム目から目押しマーカーの設定を許可する。
【００６９】
この場合、リプレイハズシ及び小役の獲得ばかりに専念していて本来のレギュラーボーナスを規定セット消化できずに所謂パンクする可能性が高い状況にある。リプレイハズシに夢中になり過ぎる遊技者に陥り易い状況であるが、これでは獲得枚数が極めて少なくなる。そこで、目押しマーカー３０は、本来の「リプレイ」の三つ揃いと全小役の取りこぼしを回避できる順押しＤＤＴ打法と同様、例えば左リール１０番の「ＢＡＲ」にマーカー３０を設定する。これにより、残りのゲームでの最大限の挽回を目押しが補助された状態で行え、本来得られる利益の減少をできるだけ少なくできる。尚、マーカー３０を設定許可するゲーム数条件等は種々変更可能である。
【００７０】
図１１に示すように、ビッグボーナス終了時におけるサポート手段の実施形態は、遊技の評価に役立つ遊技履歴の表示を許可するものである。具体的には、ビッグボーナス終了と同時に、ビッグボーナス中の遊技履歴（Ａ）とトータルの遊技履歴（Ｂ）を画面頁の切替えにより画像表示装置３上に表示する。
【００７１】
ビッグボーナス中遊技履歴の表示項目は、ビッグボーナス中の通常ゲーム数、ジャックゲームの入賞数とゲーム数、ビッグ中のコイン投入枚数、払出枚数、純増枚数等である。トータル遊技履歴の表示項目は、これまでの総遊技回数、コインの総投入枚数と総払出枚数、純増枚数、トータルのビッグボーナス回数、トータルの単独のレギュラーボーナス回数（ビッグ中のレギュラーを除く）、小役獲得グラフ等である。
【００７２】
ビッグボーナス終了後は、一般遊技に戻り、再度のボーナス入賞を期待することになる。しかし、ボーナス入賞するためには、乱数抽選によりボーナスに内部当選することが前提となり、これに当選するか否かはスタートレバー６を叩いた瞬間に抽出される乱数値で決まり偶然性に支配される。従って、短期間のうちに再度のボーナスに至る所謂連チャンが起こる場合もあれば、所謂引きが悪く、長期間にわたりボーナス当選に至らない大ハマリに合う場合もある。このような大ハマリに合っているときに、小役の取りこぼしをできるだけ少なくするのが特に有効である。コインの目減りを抑制しながら再度のボーナス当選を期待するのが得となるわけである。
【００７３】
そこで、前回のボーナス終了後所定のゲーム数を経ても再度のボーナスに至らないとき、入賞図柄（内部当選にかかる当選図柄）を入賞ライン上に揃えるのに役立つサポート手段を作動許可する。この一般遊技中のサポート手段の第１実施形態は、ボーナス終了後のゲーム数が３００回まではサポートを付与しないが、３０１回以上６００回以下で、２枚「チェリー」と４枚「チェリー」の内部当選がある場合、図８と同様、画像表示装置３上にその内部当選図柄３６を表示させる。さらに、ゲーム数が６０１回以上で、１０枚役の「羽」−「羽」−「羽」と１枚役の「羽」−「羽」−「鳥」の内部当選がある場合も、その内部当選図柄３６を表示させる。
【００７４】
前回のボーナス終了後、再度ボーナスに当選しないでボーナスフラグが立たないゲーム数が３０１回に達する確率は、例えば設定１ならビッグ及びレギュラーのボーナス合成確率が１／１８２であるから、（１−１／１８２）＊＊３０１＝（１８１／１８２）＊＊３０１＝約１９（％）（＊＊はべき乗）、同じく６０１回に達する確率は（１８１／１８２）＊＊６０１＝約３．６（％）となる。
【００７５】
そして、３０１ゲーム目からは、図８に示すように、２枚「チェリー」の内部当選がある場合は「チェリー」が１つの内部当選図柄３６が、４枚「チェリー」の内部当選がある場合は「チェリー」が２つの内部当選図柄３６が表示される。このため、左リール４Ｌ上にほぼ半周隔てて配置されているコードナンバー９番と２０番の「チェリー」を許容引込みコマ数の範囲内で表示窓４０Ｌの枠内に停止させればよいことが判り、逆に、９番か２０番の「チェリー」が下段の入賞ラインを通過した後数コマのデッドタイミングで停止操作してしまうと次に回ってくる半周隔てた「チェリー」（９番の次の２０番「チェリー」は１１コマ先、２０番の次の９番「チェリー」は１０コマ先）を引き込むことができないため、このようなタイミングで停止操作すべきでないことが判る。
【００７６】
さらに、６０１ゲーム目からは、２枚又は４枚「チェリー」の内部当選図柄３６の表示に加え、１０枚役の「羽」−「羽」−「羽」の内部当選がある場合は、図８に示すように「羽」が３つ並んだ１０枚役の内部当選図柄３６が表示され、１枚役の「羽」−「羽」−「鳥」の内部当選がある場合は、「羽」が２つと「鳥」が１つ並んだ１枚役の内部当選図柄３６が表示される。このため、１０枚役の内部当選図柄３６が表示された場合は、各リールに多数分散状に配置されている「羽」を引込アシストにより揃えることができ、全リールおやじ打ちでよいことが判り、１枚役の内部当選図柄３６が表示された場合には、右リール４Ｒについてコードナンバー１１、１２、１３の「鳥」「羽」「鳥」のかたまりを狙うべきであることが判る。
【００７７】
これにより、初級者にも小役の取りこぼしを少なくでき、ＤＤＴ打法を実践できる上級者にも厳格な目押しを緩和できる。尚、内部当選図柄３６を表示させるゲーム数条件や内部当選図柄の表示の対象とする小役は種々変更可能である。
【００７８】
すなわち、例えば、ゲーム数６０１回以上で、１０枚役と１枚役の内部当選図柄３６の表示に加え、１４枚役の「ぶどう」−「ぶどう」−「ぶどう」の内部当選がある場合、その内部当選図柄３６をも表示させてもよい。また、ゲーム数が６０１回をさらに超える例えば９０１回以上で１４枚役の「ぶどう」−「ぶどう」−「ぶどう」の内部当選がある場合、その内部当選図柄３６をも表示させてもよい。さらに、任意のゲーム数例えば５０１回以上で、全ての子役の内部当選図柄３６を表示させてもよい。
【００７９】
ところで、以上のものでは、ビッグ又はレギュラーの特定のフラグが所定ゲーム数の間成立しないという、遊技中において所定確率で起こる特定の条件下で、子役という特定の役の内部当選結果をその内部当選図柄３６の表示により報知したが、特定の役の内部当選結果を報知する条件は種々変更可能である。例えば、本出願人を特許権者とする特許第１８５５９８０号（特願昭６３−６５５４３号、特公平５−７４３９１号）のように、大ヒットフラグすなわちボーナスフラグといった特定のフラグの成立を契機として特定の役の内部当選結果を報知するようにしてもよい。
【００８０】
尚、特許第１８５５９８０号は、表示窓内にそれぞれ所定の図柄を表示する複数のリールを乱数値に応じて停止するように制御する制御装置を備えたスロットマシンにおいて、前記制御装置は遊技中特定の条件が達成された時には予め定めたゲーム回数分、前記乱数値に応じた停止制御を中止するように構成したことを特徴とするスロットマシンを要旨とし、乱数抽選により当選した役のみを４コマの引き込み範囲内で成立させる従来からの平等性を重視したスロットマシンに、大ヒットフラグの成立を契機とした遊技中の特定条件の成立下で、有限のゲーム回数分、当選役のみの成立を許す従来型の制御を止め、上級者にその熟練度に応じた結果が得られる技術介入性を付与したものであり、現行チャレンジタイム搭載機の基本仕様を決定づける内容のものである。
【００８１】
何れにしても、上記のようにビッグ又はレギュラーボーナスフラグという特定のフラグが所定ゲーム成立しないことを契機とする場合にしろ、特許第１８５５９８０号のように大ヒットフラグといった特定のフラグの成立を契機とする場合にしろ、遊技中に所定確率で起こる特定条件が達成された時には、特定の役の内部当選結果が遊技者に報知されるため、遊技者はどの図柄を狙って停止操作すればよいかが判る。このため、内部当選した役の入賞の取りこぼしを少なくできてコインの減少を抑制できながら、大きな役であるボーナスの抽選を受けることができ、初級者から上級者にわたり適切なサポートを付与できる。
【００８２】
さらに、以上のものでは、再度のボーナス当選に至らないゲーム数が例えば３０１回以上６００回以下という３００回の予め定めたゲーム回数分、特定の役である２枚「チェリー」と４枚「チェリー」の内部当選図柄３６を表示するようにしたが、予め定めたゲーム回数分の途中であっても、再度のボーナス当選があり、遊技者が有利な状況を獲得すると、内部当選図柄３６の表示によるサポートは打ち切られる。このため、遊技者を過剰に保護することにもならず、遊技店側の不利益も問題とならない。
【００８３】
一般遊技中のサポート手段の第２実施形態は、ボーナス終了後のゲーム数が５００回以上になると、図７と同様なリール帯３４Ｌ，３４Ｃ，３４Ｒを表示させる。表示窓図柄３５Ｌ，３５Ｃ，３５Ｒのスクロール表示はしない。これによっても、図柄配列の明確化により、小役の取りこぼしを少なくすることができる。尚、ゲーム数条件等は種々変更可能である。又、表示窓図柄３５Ｌ，３５Ｃ，３５Ｒのスクロール表示をも併用させてもよい。
【００８４】
図１２に示すように、以上のサポート手段は一覧表通りである。各サポート項目は単独で用いてもよいし、任意に組合せて用いてもよい。例えば、リール帯表示、内部当選結果報知、操作手順公開、遊技結果表示を組合せたものが図１３のフローチャートに示すものである。
【００８５】
図１３に示すように、遊技態様が一般遊技中の場合（Ｓ１）、前回のボーナス終了後のゲーム数が３０１回以上のとき（Ｓ２）、２枚「チェリー」又は４枚「チェリー」の内部当選があると該当する内部当選図柄を報知し（Ｓ３）、同ゲーム数が５００回以上のとき（Ｓ４）、リール帯を表示し（Ｓ５）、同ゲーム数が６０１回以上のとき（Ｓ６）、１０枚役「羽」−「羽」−「羽」、１枚役「羽」−「羽」−「鳥」の内部当選図柄をも報知する（Ｓ７）。
【００８６】
遊技態様がボーナス内部当選中の場合（Ｆ１）、ボーナスフラグ成立後５ゲーム以上のとき（Ｆ２）、小役全ての内部当選図柄を報知し（Ｆ３）、同１０ゲーム以上のとき（Ｆ４）、リール帯を表示し（Ｆ５）、同１６ゲーム以上のとき（Ｆ６）、全ての入賞役の内部当選図柄を報知し（Ｆ７）、同３１ゲーム以上のとき（Ｆ８）、表示窓図柄のスクロール表示をする（Ｆ９）。
【００８７】
遊技態様がボーナス入賞時の場合（Ｖ１）、ボーナス間遊技履歴を表示する（Ｖ２）。遊技態様がビッグボーナス中の場合（Ｂ１）、リール帯を表示し（Ｂ２）、最初のレギュラー前の通常ゲームが１０回以上で純増枚数が０枚以下のとき（Ｂ３）、リプレイハズシ手順を公開し（Ｂ４）、１セット目のレギュラー終了後（Ｂ５）、「リプレイ」の内部当選図柄を報知し（Ｂ６）、２セット目のレギュラー終了後（Ｂ７）、全入賞役の内部当選図柄を報知する（Ｂ８）。遊技態様がビッグボーナス終了時の場合（Ｅ１）、ボーナス中遊技履歴及びトータル遊技履歴を表示する（Ｅ２）。
【００８８】
図１４は、コンパクトディスクやＲＯＭカートリッジ等のコンピュータ読み取り可能な媒体に記録した模擬遊技ゲームのプログラム構造を示す。リール帯表示処理、内部当選結果報知処理、操作手順公開処理、遊技結果表示処理、リール回転数調整処理、目押しマーカー設定処理等の遊技者に有利に働くサポート機能の処理手順を記述したサポート処理手順記述部Ｐ１を備え、現時点から遡る遊技の近況履歴すなわち一般遊技中のゲーム数Ｓ、ボーナス内部当選中のゲーム数Ｆ、ボーナス入賞時点Ｖ、ビッグボーナス中のレギュラー消化数や純増枚数Ｂ、ビッグボーナス終了時点Ｅ等を監視する監視ステップＰ２と、この監視する近況履歴に基づいて前記サポート機能の作動を許可する許可ステップＰ３とを有する遊技支援方法を具備する。
【００８９】
そして、テレビゲームコントローラやパソコン等の制御用コンピュータＴＣを介して、メインのリール４Ｌ，４Ｃ，４Ｒ及び画像表示装置３上の疑似リール３Ｌ，３Ｃ，３Ｒ等を家庭用テレビやパソコンのディスプレイ等の画像モニターＭに表示させる。スタートレバー、ストップボタン等はテレビゲームコントローラに付属する操作部やパソコンのキーボード等の操作スイッチＪが受け持つ。サポート機能の内容は、図１２のサポート項目を単独で用いてもよいし、例えば図１３のように、任意のものを組合せて用いてもよい。
【００９０】
図１５〜２４は、ビッグボーナス以外の一般遊技中における当選役の入賞の取りこぼし状況により遊技者の技術レベルを認定し、取りこぼしの多い初級者ほど厚いサポートを付与して、この者の不利益を一定範囲で救済するようにした遊技機の第２実施形態を示す。
【００９１】
図１５に示すように、画像表示装置３には、遊技を始める前の遊技待機時、待機画面として螺旋階段の上に主人公のキャラクター（少女）が立っている様子が表示される。メダルを直接又はクレジットからベットスイッチ５により投入すると、図１６に示すように、主人公が階段を登っていく。尚、図示は省略するが、階段の背景は、後述するレベル別に応じて、全くの初級者（初心者という）用の最も低いレベル１では「森」、ビギナータイプの初級者用のレベル２では「大陸」、標準タイプ或は中級者用のレベル３では「雲海」、上級者タイプ用の最も高いレベル４では「星空」と４段階に変えている。電源オン時、前遊技から一定時間経過後はレベル１から始まる。
【００９２】
図１７に示すレベル別ポイント加算テーブルに従い、全リールの停止後は、各レベル１〜４毎に、内部当選フラグに対応した入賞の成立によってレベルアップを促すポイントを加算している。また、内部当選フラグに対応した入賞の取りこぼしによってレベルダウンを促すようにポイントを減算している。
【００９３】
図１８に示すレベル設定テーブルの通り、累計ポイント値５０以下は初心者用のレベル１、５１〜１００は初級者用のレベル２、１０１〜１５０は中級者用のレベル３、１５１以上は上級者用のレベル４である。電源オン時又は前遊技から一定時間経過後の初期ポイント値は０である。
【００９４】
図１９に示すレベル別報知態様選択テーブルの通り、上級者用のレベル４では、マイクロコンピュータＣＰＵのＲレジスタを用いた０〜１２７の選択用乱数の全範囲１２８を報知なしの区分に割り当てており、次ゲームでの内部当選フラグの報知はしないこととしている。一方、レベル１〜３では、各レベル毎に、内部当選フラグに応じて、選択用乱数と報知態様とを関連づけた所定の振り分け区分に従って、画像表示装置３上に所定態様で内部当選フラグを報知することとしている。尚、図１７〜１９の各テーブルは図５の制御装置のＲＯＭ上において管理している。
【００９５】
報知の担い手となる使い魔はレベル１〜３で登場し、図２０に示すように、初心者用のレベル１では信頼度の高い親切な報知に対応させて指導力に優れた印象を与える成熟した大が、初級者用のレベル２ではやや信頼度の落ちる報知に対応させて子供の中が、中級者用のレベル３では信頼度の低い低頻度の報知に対応させて幼い小が現れる。
【００９６】
報知のアイテムは、使い魔が主人公の少女に差し出すものであり、図１９中Ａはぶどう役に対応させた「ぶどう」付き盾、Ｂは１枚役「羽」−「羽」−「鳥」に対応させた「鳥」付き盾、Ｃは１４枚役「羽」−「羽」−「羽」に対応させた「羽」付き盾、Ｄは２枚「チェリー」又は４枚「チェリー」役に対応させた「チェリー」付き盾、Ｅはビッグ又はレギュラーボーナスに対応させた「赤７」付き盾というように、内部当選フラグの種別が類推できるようにしている。Ｆは内部当選フラグ共通のものとし、盾のみとしている。
【００９７】
例えば前回遊技までのポイント値が５１〜１００でレベル２にあり、今回遊技のスタートレバー６の操作時、内部当選役の抽選処理により１枚役の「羽」−「羽」−「鳥」の内部当選フラグが立ち、且つ、選択用乱数値による振り分け抽選により１枚役の「羽」−「羽」−「鳥」にマッチしたアイテムＢが選択されたとする。すると、リールの回転開始とほぼ同時か少し遅れて、図２１に示すように、子供の中の使い魔が羽ばたきながら登場する。
【００９８】
引き続いて、或はストップボタン４Ｌ，４Ｃ，４Ｒの何れかを第１番目に操作した第１停止時、図２２に示すように使い魔がアイテムＢを取り出して少女に渡そうとする。そして、図２３に示すように、最後のストップボタンを操作した第３停止時、有効入賞ライン上に「羽」−「羽」−「鳥」の並びが成立し、入賞を獲得できる場合は、使い魔が少女に向けてアイテムＢを投げた後、ＧＥＴの文字が現れる。尚、この後、ポイント値は図１７の通りプラス１０して更新される。
【００９９】
一方、ストップボタンの操作タイミングが悪く、有効入賞ライン上に「羽」−「羽」−「鳥」の並びが成立せず、入賞を取りこぼした場合は、図２４に示すように、使い魔が階段の中心に向けてアイテムＢを投げた後、取りこぼしゴーストがアイテムを奪って消えていく。尚、このときは、ポイント値は図１７の通りマイナス２して更新される。
【０１００】
以上例示の動画の流れは、使い魔の大きさは違うが、基本的にレベル１〜３で同様である。ただし、初心者用のレベル１では、小役の内部当選役とアイテムが完全に対応しているが、ビッグ（ＢＢ）又はレギュラー（ＲＢ）のボーナスフラグはハズレ時と同様に報知しないこととしており、報知がない場合はとりあえず「赤７」ねらいで良いものとし、分かり易さを重視している。もっとも、報知の対象にＢＢやＲＢを含めてもよい。
【０１０１】
初級者用のレベル２では、何れかの内部当選フラグが立つと必ず報知がされ、内部当選フラグとアイテムもほぼ対応するが、内部当選フラグに対応しないアイテムが表示されるいわゆるガセ報知もある。中級者用のレベル３では、内部当選フラグに共通のアイテムＦが低頻度で出現するのみであり、内部当選フラグの種別までは判らない。上級者用のレベル４では、使い魔もアイテムも出現せず、内部当選役の報知はされず、ＤＤＴ打法やリーチ目等を頼りに遊技することになる。
【０１０２】
尚、以上のものでは２枚「チェリー」と４枚「チェリー」とを共通のアイテムＤで報知するようにしたが、例えば、２枚「チェリー」ならアイテムＤと同じ三房チェリーを１つ付けた盾、４枚「チェリー」なら三房チェリーを２つ付けた盾というように個別アイテムで報知してもよい。ボーナスについても同様であり、ＢＢの場合はアイテムＥと同じ赤７付き盾、ＲＢの場合はＢＡＲ付き盾というように個別アイテムで報知してもよい。また、各レベルでの報知の対象とする内部当選役に「リプレイ」を含めてもよい。
【０１０３】
こうして、当選役の入賞の取りこぼしが多く、レベルが低い初心者ほど、内部当選フラグの報知の信頼度が高くなり、どの図柄をねらって停止操作したらよいか親切に報知されるため、小役を取りこぼしがちの初心者、初級者を適切に支援することができ、これらの者の不利益を一定限度で救済できる。
【０１０４】
また、図１７のテーブルの通り、最低のレベル１から次に高いレベル２への加算ポイントを各内部当選フラグおしなべて大とし、また、最高のレベル４から次に低いレベル３への減算ポイントをおしなべて大としている。これにより、初心者、初級者はいつまでも手厚いサポートを受け続けて過保護に扱われているわけではなく、また、上級者も腕が落ちると内部当選役の報知によるサポートを受けることができ、初心者から上級者全てについてその腕前に応じた平等且つ適切なサポートを付与できる。
【図面の簡単な説明】
【図１】  本発明を適用した遊技機の斜視図。
【図２】  同遊技機の上部正面図。
【図３】  同遊技機のリール展開図。
【図４】  同遊技機の入賞役一覧図表。
【図５】  同遊技機の制御ブロック図。
【図６】  一のサポート手段である目押しマーカー設定許可の説明図。
【図７】  一のサポート手段であるリール帯表示の説明図。
【図８】  一のサポート手段である内部当選結果報知の説明図。
【図９】  一のサポート手段であるボーナス入賞時の遊技結果表示の説明図。
【図１０】  一のサポート手段である操作手順公開の説明図。
【図１１】  一のサポート手段であるボーナス終了時の遊技結果表示の説明図。
【図１２】  サポート手段の一覧表。
【図１３】  サポート手段の組合せ例を示すフローチャート。
【図１４】  遊技プログラムの構造図。
【図１５】  遊技機の第２実施形態における画像表示装置の待機画面説明図。
【図１６】  同画像表示装置のメダル投入後の画面説明図。
【図１７】  レベル別ポイント加算テーブル。
【図１８】  レベル設定テーブル。
【図１９】  レベル別報知態様選択テーブル。
【図２０】  使い魔の説明図。
【図２１】  画像表示装置のスタートレバー操作後の画面説明図。
【図２２】  画像表示装置の第１停止時の画面説明図。
【図２３】  画像表示装置の第３停止時における小役獲得時の画面説明図。
【図２４】  画像表示装置の第３停止時における取りこぼし時の画面説明図。
【符号の説明】
３；画像表示装置
３Ｌ，３Ｃ，３Ｒ；疑似リール
３０；マーカー
３４Ｌ，３４Ｃ，３４Ｒ；リール帯
３５Ｌ，３５Ｃ，３５Ｒ；表示窓図柄
３６；内部当選図柄
４；可変表示手段
４Ｌ，４Ｃ，４Ｒ；リール
７；停止手段
７Ｌ，７Ｃ，７Ｒ；ストップボタン
【図１】
0004639374.tif 000002
【図２】
0004639374.tif 000003
【図３】
0004639374.tif 000004
【図４】
0004639374.tif 000005
【図５】
0004639374.tif 000006
【図６】
0004639374.tif 000007
【図７】
0004639374.tif 000008
【図８】
0004639374.tif 000009
【図９】
0004639374.tif 000010
【図１０】
0004639374.tif 000011
【図１１】
0004639374.tif 000012
【図１２】
0004639374.tif 000013
【図１３】
0004639374.tif 000014
【図１４】
0004639374.tif 000015
【図１５】
0004639374.tif 000016
【図１６】
0004639374.tif 000017
【図１７】
0004639374.tif 000018
【図１８】
0004639374.tif 000019
【図１９】
0004639374.tif 000020
【図２０】
0004639374.tif 000021
【図２１】
0004639374.tif 000022
【図２２】
0004639374.tif 000023
【図２３】
0004639374.tif 000024
【図２４】
0004639374.tif 000025